(57)【特許請求の範囲】
【請求項１】
作業用の上面を有する天板と、
上面が前記天板の前記上面と同一平面に位置するように前記天板に設けられ、電源コンセントまたは情報コンセントを有する接続部と、
前記天板の前記上面から下方に凹むように前記天板に設けられ、前記接続部の外周を環状に囲む溝部と、
を備える什器。
【請求項２】
請求項１に記載の什器であって、
前記接続部は、前記接続部の前記上面から前記溝部に向かって延びる側面を有し、
前記電源コンセントまたは前記情報コンセントは、前記側面に配置されている
什器。
【請求項３】
請求項１または２に記載の什器であって、
前記溝部の外周縁に沿って環状に配置され、前記天板の前記上面よりも上方に突出する凸部をさらに備える
什器。
【請求項４】
請求項１から３のいずれか一項に記載の什器であって、
前記溝部の底部に開口し、前記底部から排水可能な排水部をさらに備える
什器。
【請求項５】
請求項４に記載の什器であって、
前記溝部の前記底部は、前記排水部に向かって液体が流れるように勾配がつけられている
什器。
【発明の詳細な説明】
【技術分野】
【０００１】  本発明は、什器に関する。
【背景技術】
【０００２】  オフィスや公共施設、家庭などの室内空間において、使用者に作業用の平面を提供するために天板が設けられた什器が広く使用されている。近年は、使用者が作業に電子機器を用いる場合が多いため、使用する電子機器に電源を供給するための電源コンセントや情報を供給するための情報コンセントが設けられた什器が使用されている。【０００３】  このような什器として、例えば特許文献１および２には、コンセントを備える筐体が天板上に設けられた什器が開示されている。これらの什器では、使用者が使用しやすい位置にコンセントを配置することが可能である。しかしながら、コンセントを備える筐体が天板上に露出した状態で配置されているため、什器として体裁が悪くなってしまうとともに、天板の上面の一部を作業面として使用することができないという問題を有していた。【０００４】  このような問題を改善する手段として、例えば特許文献３から５には、天板に形成された開口の下方に設けられ、コンセントが配置された配線収納部と、天板の開口を塞ぐ蓋部と、を備える什器が開示されている。これらの什器では、コンセントは天板の下方に設けられた配線収納部に配置されているので、コンセントが外部に露出することを防止することができ、什器としての体裁を良好にすることができる。また、蓋部を作業面の一部として使用することで、作業面を広く確保することができる。
【先行技術文献】
【特許文献】
【０００５】
【特許文献１】特許第４２８９７３３号公報
【特許文献２】特開２０１５−８０８２号公報
【特許文献３】特開２０１５−１０４５２０号公報
【特許文献４】特許第４５０４５８２号公報
【特許文献５】特開２００２−２５３３５１号公報
【発明の概要】
【発明が解決しようとする課題】
【０００６】  しかしながら、上述した配線収納部および蓋部を備える什器では、コンセントが配線収納部内に配置されているので、プラグを抜き差しする頻度が多い場合には使い勝手が悪くなってしまうという問題を有している。また、作業面上で誤って飲料などの液体をこぼしてしまった場合には、天板の開口と蓋部との隙間から配線収納部へ流れ落ちてコンセントを濡らしてしまう可能性がある。【０００７】  本発明は、上記の事情を鑑みてなされたものであり、広い作業面を確保するとともに什器としての使い勝手を良好にすることができ、かつ作業面上で飲料などの液体をこぼしてしまった場合にコンセントが濡れる可能性を低減できる什器を提供することを目的とする。
【課題を解決するための手段】
【０００８】  本発明の一態様によれば、什器は、作業用の上面を有する天板と、上面が前記天板の前記上面と同一平面に位置するように前記天板に設けられ、電源コンセントまたは情報コンセントを有する接続部と、前記天板の前記上面から下方に凹むように前記天板に設けられ、前記接続部の外周を環状に囲む溝部と、を備える。【０００９】  このような什器によれば、接続部は、上面が天板の上面と同一平面に位置するように天板に設けられているので、天板の上面に加えて接続部の上面も作業面として使用することができ、広い作業面を確保することできる。さらに、電源コンセントまたは情報コンセントはこの接続部に設けられているので、プラグを電源コンセントまたは情報コンセントに容易に抜き差しすることができ、什器としての使い勝手を良好にすることができる。また、接続部の外周を環状に囲む溝部が天板の上面から下方に凹むように天板に設けられているので、天板の上面で液体をこぼしてしまった場合、接続部に到達する前にこの溝部に液体が流入するため、接続部に設けられた電源コンセントまたは情報コンセントが濡れる可能性を低減することができる。【００１０】  上記の什器において、前記接続部は、前記接続部の前記上面から前記溝部に向かって延びる側面を有していてもよい。前記電源コンセントまたは前記情報コンセントは、前記側面に配置されていてもよい。【００１１】  このような什器によれば、電源コンセントまたは情報コンセントは接続部の側面に配置されているので、天板を使用する使用者がより容易にプラグを電源コンセントまたは情報コンセントに抜き差しすることができる。【００１２】  上記の什器は、前記溝部の外周縁に沿って環状に配置され、前記天板の前記上面よりも上方に突出する凸部をさらに備えてもよい。【００１３】  このような什器によれば、天板の上面よりも上方に突出する凸部が溝部の外周縁に沿って環状に配置されているので、天板の上面で液体をこぼしてしまった場合には、凸部によって液体が溝部へ流入することを防止することができる。よって、接続部の電源コンセントまたは情報コンセントが濡れる可能性をより低減することができる。【００１４】  上記の什器は、前記溝部の底部に開口し、前記底部から排水可能な排水部をさらに備えてもよい。【００１５】  このような什器によれば、溝部に流入して底部にたまった液体を排水部から排水することができるので、接続部の電源コンセントまたは情報コンセントが濡れる可能性を低減することができる。【００１６】  上記の什器において、前記溝部の前記底部は、前記排水部に向かって液体が流れるように勾配がつけられていてもよい。【００１７】  このような什器によれば、溝部に流入して底部にたまった液体は排水部に向かって流れるので、底部から容易に液体を排水することができる。
【発明の効果】
【００１８】  上記の什器によれば、広い作業面を確保するとともに什器としての使い勝手を良好にすることができ、かつ作業面上で液体をこぼしてしまった場合にコンセントが濡れる可能性を低減できる。
【図面の簡単な説明】
【００１９】
【図１】本発明の第一実施形態に係る什器を示す斜視図である。
【図２】前記什器の天板を示す拡大図である。
【図３】図２のＩＩＩ−ＩＩＩ線における断面図である。
【図４】第一実施形態に係る什器の第一変形例を示す図である。
【図５】第一実施形態に係る什器の第二変形例を示す図である。
【図６】本発明の第二実施形態に係る什器を示す図である。
【発明を実施するための形態】
【００２０】  （第一実施形態）
以下、本発明の第一実施形態について、図１から図３を参照して説明する。
【００２１】  図１は、本実施形態に係る什器１を示す斜視図である。図２は、什器１の天板２０を示す拡大図である。図３は、図２のＩＩＩ−ＩＩＩ線における断面図である。
【００２２】  図１に示すように、什器１は、天板２０と、接続部３０と、溝部４０と、を備える。
【００２３】  天板２０は、作業用の上面２０ｔを有する。また、天板２０は、一対の脚部材１０、１０に支持されている。
【００２４】  一対の脚部材１０、１０は、床面Ｆ上に、天板２０の長辺方向（以下、この方向を幅方向Ｄｘと適宜称する。）に間隔を空けて配置され、天板２０の幅方向Ｄｘの両端部にそれぞれ接続されている。
【００２５】  各脚部材１０は、一対の支柱１１、１１と、下部連結部材１２と、上部連結部材１３と、を有する。一対の支柱１１、１１は、上下方向Ｄｚに延びて設けられ、天板２０の短辺方向（以下、この方向を前後方向Ｄｙと適宜称する。）に間隔を空けて配置されている。一対の支柱１１、１１の下面には、一対の支柱１１、１１の高さおよびレベルの調整を行うアジャスター１１ａ、１１ａがそれぞれ設けられている。下部連結部材１２は、前後方向Ｄｙに延びて設けられ、一対の支柱１１、１１の下端部１１ｂ、１１ｂを互いに連結している。上部連結部材１３は、前後方向Ｄｙに延びて設けられ、一対の支柱１１、１１の上端部１１ｔ、１１ｔを互いに連結している。天板２０は、一対の支柱１１、１１の上端部１１ｔ、１１ｔおよび上部連結部材１３に支持されている。
【００２６】  図１から図３に示すように、接続部３０は、接続部３０の上面３０ｔが天板２０の上面２０ｔと同一平面に位置するように天板２０に設けられている。また、接続部３０は、電源コンセント３１を有する。本実施形態では、接続部３０は、天板２０の前後方向Ｄｙの中央部分に、幅方向Ｄｘに間隔を空けて二つ設けられている。また、接続部３０は、上面３０ｔが幅方向Ｄｘおよび前後方向Ｄｙに沿って延びる辺によって形成される略正方形に形成された四角錐台状に形成されている。
【００２７】  溝部４０は、天板２０の上面２０ｔから下方に凹むように天板２０に設けられている。また、溝部４０は、接続部３０の外周を環状に囲んでいる。本実施形態では、溝部４０は、接続部３０の形状に合わせて、接続部３０の外周を角環状に囲んでいる。
【００２８】  接続部３０は、接続部３０の上面３０ｔからこの溝部４０に向かって延びる側面３０ｓを有する。電源コンセント３１は、側面３０ｓに配置されている。本実施形態では、上面３０ｔの幅方向Ｄｘの両端部３０ｔｘ、３０ｔｘおよび前後方向Ｄｙの両端部３０ｔｙ、３０ｔｙからそれぞれ延びる４つの側面３０ｓが設けられている。上面３０ｔの幅方向Ｄｘの両端部３０ｔｘから延びる側面３０ｓｘは、上面３０ｔから下方に向かうに従って幅方向Ｄｘの外側に向かうように傾斜している。すなわち、側面３０ｓｘは、幅方向Ｄｘの外側であって斜め上方を向いている。また、上面３０ｔの前後方向Ｄｙの両端部３０ｔｙから延びる側面３０ｓｙは、上面３０ｔから下方に向かうに従って前後方向Ｄｙの外側に向かうように傾斜している。すなわち、側面３０ｓｙは、前後方向Ｄｙの外側であって斜め上方を向いている。側面３０ｓｘには、二つの電源コンセント３１が前後方向Ｄｙに間隔を空けて配置されている。また、側面３０ｓｙには、二つの電源コンセント３１が幅方向Ｄｘに間隔を空けて配置されている。
【００２９】  溝部４０は、溝部４０のうち最も凹んだ底部４１と、天板２０の上面２０ｔと底部４１との間に形成された側壁部４２と、を有する。本実施形態において、底部４１は、接続部３０の外周を角環状に囲むように配置されている。また、底部４１には、接続部３０の側面３０ｓが直接接続されている。側壁部４２は、底部４１から天板２０の上面２０ｔに向かって延びている。また、側壁部４２は、接続部３０の外周を囲む底部４１を角環状に囲むように配置されている。側壁部４２は、接続部３０の側面３０ｓに配置された電源コンセント３１に使用者がプラグ３２を差し込みやすいように、例えば側面３０ｓに対して略直交する平面を有して構成されている。
【００３０】  また、本実施形態では、什器１は、溝部４０の外周縁に沿って環状に配置され、天板２０の上面２０ｔよりも上方に突出する凸部５０をさらに備える。溝部４０が角環状に配置されているので、これに対応して、凸部５０も角環状に配置されている。また、凸部５０は、溝部４０の側壁部４２に連続して形成されている。
【００３１】  接続部３０、溝部４０、および凸部５０は、例えば樹脂などで一体的に形成されている。凸部５０の下側に連続して設けられた固定部５１は、天板２０の下面２０ｕにねじ５２によって固定されている。これにより、接続部３０、溝部４０、および凸部５０は、天板２０に対して固定されている。
【００３２】  本実施形態に係る什器１は、作業用の上面２０ｔを有する天板２０と、上面３０ｔが天板２０の上面２０ｔと同一平面に位置するように天板２０に設けられ、電源コンセント３１を有する接続部３０と、天板２０の上面２０ｔから下方に凹むように天板２０に設けられ、接続部３０の外周を環状に囲む溝部４０と、を備える。
【００３３】  上述した構成によれば、接続部３０は、上面３０ｔが天板２０の上面２０ｔと同一平面に位置するように天板に設けられている。このため、天板２０の上面２０ｔに加えて接続部３０の上面３０ｔも作業面として使用することができ、広い作業面を確保することできる。さらに、電源コンセント３１はこの接続部３０に設けられているので、プラグを電源コンセント３１に容易に抜き差しすることができ、什器としての使い勝手を良好にすることができる。また、接続部３０の外周を環状に囲む溝部４０が天板２０の上面２０ｔから下方に凹むように天板２０に設けられているので、天板２０の上面２０ｔで飲料などの液体をこぼしてしまった場合には、接続部３０に到達する前にこの溝部４０に液体が流入する。したがって、接続部３０に設けられた電源コンセント３１が濡れる可能性を低減することができる。
【００３４】  また、接続部３０は、接続部３０の上面３０ｔから溝部４０に向かって延びる側面３０ｓを有する。電源コンセント３１は、側面３０ｓに配置されている。
【００３５】  上述した構成によれば、電源コンセント３１は接続部３０の側面３０ｓに配置されているので、天板２０を使用する使用者がより容易にプラグ３２を電源コンセント３１に抜き差しすることができる。
【００３６】  また、什器１は、溝部４０の外周縁に沿って環状に配置され、天板２０の上面２０ｔよりも上方に突出する凸部５０をさらに備える。このため、天板２０の上面２０ｔで飲料などの液体をこぼしてしまった場合には、凸部５０によって液体が溝部４０へ流入することを防止することができる。よって、接続部３０の電源コンセント３１が濡れる可能性をより低減することができる。
【００３７】  なお、本実施形態では、接続部３０は、電源コンセント３１を有していたが、これに限らない。接続部３０には、電源コンセント３１の代わりに、情報を供給するための情報コンセントが設けられていてもよいし、電源コンセント３１に加えて情報コンセントが設けられていてもよい。
【００３８】  また、接続部３０は、天板２０の前後方向Ｄｙの中央部分に、幅方向Ｄｘに間隔を空けて二つ設けられていたが、これに限らない。使用の態様などに応じて、接続部３０の配置や数を適宜変更することができる。
【００３９】  溝部４０は、接続部３０の外周を角環状に囲んでいたが、これに限らず、接続部３０の外周を円環状に囲んでいてもよい。なお、液体がいずれの方向から接続部３０に向かって流れたとしても液体が接続部３０に流れ込むことを妨げるために、溝部４０は接続部３０の外周を切れ目なく連続して環状に囲むことが好ましい。
【００４０】  凸部５０は、溝部４０の外周縁に沿って角環状に配置されていたが、これに限らず、円環状に配置されていてもよい。
【００４１】  （第一変形例）
図４は、本実施形態に係る什器の第一変形例を示す図である。上述した什器１では、電源コンセント３１は、接続部３０の側面３０ｓに配置されていたが、これに限らない。例えば、本変形例の什器２のように、接続部３０の上面３０ｔに電源コンセント３１が配置されていてもよい。
【００４２】  （第二変形例）
図５は、本実施形態に係る什器の第二変形例を示す図である。上述した什器１では、接続部３０は、四角錐台状に形成されていたが、これに限らない。例えば、本変形例の什器３のように、接続部３４は、球面状の曲面３４ｓを有するように形成されていてもよい。この場合には、曲面３４ｓの頂部３４ｔが天板２０の上面２０ｔと同一平面に位置している。
【００４３】  （第二実施形態）
次に、本発明の第二実施形態について、図６を参照して説明する。
【００４４】  図６は、本実施形態に係る什器４を示す図である。什器４は、溝部の底部から排水可能な排水部６０をさらに備える点で、第一実施形態に係る什器１と異なっている。なお、第一実施形態に係る什器１と同様の構成を有する部分については、その詳細な説明を省略する。
【００４５】  排水部６０は、溝部４０の底部４３に開口し、底部４３から排水可能に構成されている。本実施形態では、排水部６０は、接続部３０の４つの角部に隣接する底部４３の部分にそれぞれ４つ設けられている。
【００４６】  本実施形態に係る底部４３は、第一実施形態に係る底部４１と異なり、排水部６０に向かって液体が流れるように勾配が付けられている。同様に、本実施形態に係る側壁部４４は、第一実施形態に係る側壁部４２と異なり、排水部６０に向かって液体が流れるように勾配が付けられている。
【００４７】  本実施形態に係る什器４は、溝部４０の底部４３に開口し、底部４３から排水可能な排水部６０をさらに備える。このため、溝部４０に流入して底部４３にたまった飲料などの液体を排水部６０から排水することができる。したがって、底部４３にたまった液体により接続部３０の電源コンセント３１が濡れる可能性を低減することができる。
【００４８】  また、溝部４０の底部４３は、排水部６０に向かって液体が流れるように勾配がつけられている。このため、溝部４０に流入して底部４３にたまった液体は排水部６０に向かって流れる。したがって、底部４３から容易に液体を排水することができる。
【００４９】  なお、本実施形態に係る什器４において、接続部３０および溝部４０の下側に、排水部６０から排水された液体を受けるための排水受け部が設けられていてもよい。これにより、排水された液体で床面Ｆ上を汚すことを防止できる。
【００５０】  以上、本発明の好ましい実施形態を説明したが、本発明はこれら実施形態に限定されることはない。本発明の趣旨を逸脱しない範囲で、構成の付加、省略、置換、およびその他の変更が可能である。
【符号の説明】
【００５１】  １、２、３、４  什器
２０  天板
２０ｔ  上面
３０、３４  接続部
３０ｓ、３０ｓｘ、３０ｓｙ  側面
３０ｔ  上面
３１  電源コンセント
４０  溝部
４１、４３  底部
５０  凸部
６０  排水部
【図１】
0006641637.tif 000002
【図２】
0006641637.tif 000003
【図３】
0006641637.tif 000004
【図４】
0006641637.tif 000005
【図５】
0006641637.tif 000006
【図６】
0006641637.tif 000007